(57)【特許請求の範囲】
【請求項１】
円環状の回転ベゼルと、前記回転ベゼルをその外周上方側で回転可能に支持する支持体とを具備する携帯機器において、
前記回転ベゼルの内周面には、環状のベゼル側溝が形成されており、
前記支持体の外周面における前記溝と対向する位置には、環状の支持体側溝が形成されており、
前記ベゼル側溝と前記支持体側溝によって形成される空間に配置される円環状または円弧状の中間部材を備え、
前記中間部材は、前記ベゼル側溝または前記支持体側溝の深い方の溝深さより大きく、かつ両者の溝深さの和よりも小さい幅に形成される中間部を有しており、前記ベゼル側溝と前記支持体側溝によって形成される空間内に拘束されずに配置されている
ことを特徴とする携帯機器。
【請求項２】
円環状の回転ベゼルと、前記回転ベゼルをその外周上方側で回転可能に支持する支持体とを具備する携帯機器において、
前記回転ベゼルの内周面には、環状のベゼル側溝が形成されており、
前記支持体の外周面における前記溝と対向する位置には、環状の支持体側溝が形成されており、
前記ベゼル側溝と前記支持体側溝によって形成される空間に配置される円環状または円弧状の中間部材を備え、
前記中間部材は、内周側に突出する内突出部と、外周側に突出する外突出部が交互に形成されており、
前記内突出部がその円周上に位置する前記回転ベゼルの回転円周の同心円と前記外突出部がその円周上に位置する前記回転ベゼルの回転円周の同心円の半径の差は、前記ベゼル側溝または前記支持体側溝の深い方の溝深さより大きく、かつ両者の溝深さの和よりも小さくなされており、前記中間部材は前記ベゼル側溝と前記支持体側溝によって形成される空間内に拘束されずに配置されている
ことを特徴とする携帯機器。
【請求項３】
前記中間部材の内周側下面または外周側上面には、前記回転ベゼルの回転平面に対して傾斜する斜面が形成されている
ことを特徴とする請求項１または２に記載の携帯機器。
【請求項４】
前記中間部材の前記回転ベゼルの回転平面と直交する方向の大きさは、前記ベゼル側溝または前記支持体側溝の少なくともいずれかの幅よりも小さくなされている
ことを特徴とする請求項１ないし３のいずれかに記載の携帯機器。
【請求項５】
前記中間部材は、合成樹脂からなることを特徴とする請求項１ないし４のいずれかに記載の携帯機器。
【請求項６】
前記中間部材は、弾性材料からなることを特徴とする請求項１ないし５のいずれかに記載の携帯機器。
【請求項７】
前記回転ベゼルの下面には、光学パターンが形成されており、
前記支持体には、前記光学パターンに光を照射し、その反射光から前記回転ベゼルの回転状態を検出する光センサが設けられている
ことを特徴とする請求項１ないし６のいずれかに記載の携帯機器。
【発明の詳細な説明】
【０００１】
【発明の属する技術分野】
本発明は、回転ベゼルを有する携帯機器に関する。
【０００２】
【従来の技術】
腕時計には、図１９に示すように、胴１の上方外周側に回転可能に設けられる円環状の回転ベゼル２を備えるタイプのものがある。
【０００３】
【発明が解決しようとする課題】
従来、このような回転ベゼル２は、胴１との間にパッキンやリングバネ等を介在させて圧入することにより胴１に取り付けられていた。従って、製造時における回転ベゼル２の胴１への取付作業が煩雑である。また、製造後に回転ベゼル２を取り替える場合にも、上述したような圧入作業が必要となり、取り替え作業も繁雑である。また、回転ベゼル２は回転部材であるため、長期間の使用によって部材が磨耗し、回転ベゼル２が胴１から離脱してしまうこともある。
【０００４】
本発明は、上記の事情を考慮してなされたものであり、円環状の回転ベゼルを支持体に容易に取り付けることができるとともに、耐久性に優れた回転ベゼルの保持構造を有する携帯機器を提供することを目的とする。
【０００５】
【課題を解決するための手段】
上記課題を解決するため、本発明の請求項１に記載の携帯機器は、円環状の回転ベゼルと、前記回転ベゼルをその外周上方側で回転可能に支持する支持体とを具備する携帯機器において、
前記回転ベゼルの内周面には、環状のベゼル側溝が形成されており、
前記支持体の外周面における前記溝と対向する位置には、環状の支持体側溝が形成されており、
前記ベゼル側溝と前記支持体側溝によって形成される空間に配置される円環状または円弧状の中間部材を備え、
前記中間部材は、前記ベゼル側溝または前記支持体側溝の深い方の溝深さより大きく、かつ両者の溝深さの和よりも小さい幅に形成される中間部を有しており、前記ベゼル側溝と前記支持体側溝によって形成される空間内に拘束されずに配置されていることを特徴としている。
【０００６】
また、請求項２に記載の携帯機器は、円環状の回転ベゼルと、前記回転ベゼルをその外周上方側で回転可能に支持する支持体とを具備する携帯機器において、
前記回転ベゼルの内周面には、環状のベゼル側溝が形成されており、
前記支持体の外周面における前記溝と対向する位置には、環状の支持体側溝が形成されており、
前記ベゼル側溝と前記支持体側溝によって形成される空間に配置される円環状または円弧状の中間部材を備え、
前記中間部材は、内周側に突出する内突出部と、外周側に突出する外突出部が交互に形成されており、
前記内突出部がその円周上に位置する前記回転ベゼルの回転円周の同心円と前記外突出部がその円周上に位置する前記回転ベゼルの回転円周の同心円の半径の差は、前記ベゼル側溝または前記支持体側溝の深い方の溝深さより大きく、かつ両者の溝深さの和よりも小さくなされており、前記中間部材は前記ベゼル側溝と前記支持体側溝によって形成される空間内に拘束されずに配置されていることを特徴としている。
【０００７】
また、請求項３に記載の携帯機器は、請求項１または２に記載の携帯機器において、
前記中間部材の内周側下面または外周側上面には、前記回転ベゼルの回転平面に対して傾斜する斜面が形成されていることを特徴としている。
【０００８】
また、請求項４に記載の携帯機器は、請求項１ないし３のいずれかに記載の携帯機器において、
前記中間部材の前記回転ベゼルの回転平面と直交する方向の大きさは、前記ベゼル側溝または前記支持体側溝の少なくともいずれかの幅よりも小さくなされていることを特徴としている。
【０００９】
また、請求項５に記載の携帯機器は、請求項１ないし４のいずれかに記載の携帯機器において、
前記中間部材は、合成樹脂からなることを特徴としている。
【０００１０】
また、請求項６に記載の携帯機器は、請求項１ないし５のいずれかに記載の携帯機器において、
前記中間部材は、弾性材料からなることを特徴としている。
【００１１】
また、請求項７に記載の携帯機器は、請求項１ないし６のいずれかに記載の携帯機器において、
前記回転ベゼルの下面には、光学パターンが形成されており、
前記支持体には、前記光学パターンに光を照射し、その反射光から前記回転ベゼルの回転状態を検出する光センサが設けられていることを特徴としている。
【００１２】
【発明の実施の形態】
以下、図面を参照して本発明の実施形態について説明する。
Ａ．実施形態の構成
まず、図１は本発明の一実施形態に係る腕時計型情報処理装置１００を示す正面図である。同図において、符号１０１は、この腕時計型情報処理装置１００の胴（支持体）を示す。図における胴１０１の上下側には、使用者の手に巻き付けられるバンド部２００が取り付けられている。また、胴１０１の外周側の上部（紙面手前側）には、円環状の回転ベゼル１０２が図中矢印で示す方向に回転自在に支持されている。
【００１３】
回転ベゼル１０２の表面には、等間隔に「▽」、「Ａ」、「Ｂ」、「Ｃ」……「１」、「０」の文字や記号等の情報が印刷等により表記されている。回転ベゼル１０２の内周側における胴１０１の中央部には、カバーガラス１０３が配置されており、このカバーガラス１０３の下方（図の紙面奥側）には、液晶パネル等の表示装置１０４が配設されている。表示装置１０４の図中上側には、回転ベゼル１０２の表面に表示された文字等の情報の１つを指示する指示マーク１１０が印刷等により表記されている。指示マーク１１０が回転ベゼル１０２上に表記された「▽」を指示しているときの回転ベゼル１０２の位置が後述するベゼル情報入力モードにおける基準位置（図１に示す位置）となる。
【００１４】
また、胴１０１の周囲には、確定スイッチ１０５、削除スイッチ１０６、濁点スイッチ１０７がそれぞれ配設されている。また、リセットスイッチ１０９がカバーガラス１０３と同一平面上に突出して設けられている。なお、これらの各スイッチ１０５〜１０７は、リセットスイッチ１０９と同様にカバーガラス１０３と同一平面上に突出して設けるようにしてもよく、各スイッチの配設位置は任意である。
【００１５】
ここで、図２は腕時計型情報処理装置１００から回転ベゼル１０２を取り外した状態を示す。同図に示すように、胴１０１には、孔３１ａ，３１ｂが形成されており、この孔３１ａ，３１ｂ内にパルス数検出センサユニット（光センサ）３２と回転方向検出センサユニット（光センサ）３３とがそれぞれ配置されている。ここで、パルス数検出センサユニット３２と回転ベゼル１０２の回転中心Ｏとを結ぶ線と、回転方向検出センサユニット３３と回転中心Ｏとを結ぶ線とが角度θ1を形成するようにパルス数検出センサユニット３２および回転方向検出センサユニット３３が配置されている。なお、角度θ1については、後述する。
【００１６】
さて、図３は図１のIII−III線に沿って視た図である。同図に示すように、回転ベゼル１０２の裏面には、光学パターン４１が形成されおり、孔３１ａは、胴１０１における光学パターン４１の下方となる位置に形成されている。この孔３１ａの上方を覆うようにセンサカバーガラス４２が配置されており、センサカバーガラス４２と胴１０１との間には、図示せぬパッキンが配置されいてる。これにより、センサカバーガラス４２の下方への水や埃の侵入を防止している。
【００１７】
また、図３および図４に示すように、回転ベゼル１０２の内周面には、環状の溝（ベゼル側溝）１０２ａが形成されている。また、胴１０１における溝１０２ａと対向する位置にも、環状の溝（支持体側溝）１０１ａが形成されており、回転ベゼル１０２を胴１０１に取り付けた場合、これらの溝によって空間が形成されるようになっている（図３参照）。この空間内には、図４に示すように、一部分のみが開放した円弧状のリング部材（中間部材）４００が配置されるようになっている。
【００１８】
ここで、リング部材４００は、ポリアセタールや塩化ビニル樹脂などの合成樹脂からなる弾性体であり、その幅Ｄが溝１０１ａの溝深さ（ｄ1）および溝１０２ａの溝深さ（ｄ2）の和（ｄ1＋ｄ2）よりも小さく、かつｄ1およびｄ2の各々より大きくなるような寸法に形成されている。また、リング部材４００の高さＨが溝１０１ａおよび溝１０２ａの幅ｈよりも小さくなるように形成されている。このような大きさのリング部材４００を溝１０１ａおよび溝１０２ａによって形成される空間内に配置することにより、胴１０１に対して回転ベゼル１０２を回転可能な状態で保持できるようになっている。また、リング部材４００は胴１０１および回転ベゼル１０２のいずれにも係合されておらず、溝１０１ａおよび溝１０２ａによって形成される空間内に拘束されない状態で配置されている。
【００１９】
また、リング部材４００の内周側下面には、傾斜面４００ａが形成されている。このようにリング部材４００の内周側下面に傾斜面４００ａを形成することによる効果について説明する。図５および図６は、回転ベゼル１０２を胴１０１に取り付ける様子を示す図である。まず、図５に示すように、リング部材４００を弾性変形させて回転ベゼル１０２の内周側に収まるような形状に維持して回転ベゼル１０２の内周側に配置する。そして、リング部材４００の弾性によりその形状を円弧状に復帰させることにより、回転ベゼル１０２の溝１０２ａ内にリング部材４００の外周部を侵入させる。このようにリング部材４００として図示のような弾性変形が可能な弾性材料を使用することにより、回転ベゼル１０２へのリング部材４００の組み込み作業が容易となる。
【００２０】
この後、図６に示すように、溝１０２ａ内にリング部材４００を侵入させた回転ベゼル１０２を上方から胴１０１の外周側に押し込む。このとき、上述したように傾斜面４００ａを形成しておくことにより、リング部材４００が胴１０１の突起部１０１ｂを越えて溝１０１ａに侵入しやすくなる。すなわち、傾斜面４００ａを設けることにより、回転ベゼル１０２の胴１０１への取付作業が容易となる。また、図示のように胴１０１の突起部１０１ｂの外周側上面にも斜面を設けておけば、さらにリング部材４００が胴１０１の突起部１０１ｂを越えて溝１０１ａに侵入しやすくなる。
【００２１】
図３に戻り、センサカバーガラス４２の下方には、パルス数検出センサユニット３２が配置されている。パルス数検出センサユニット３２は、ＬＥＤ（Light Emitting Diode）４４と、フォトダイオード４５と、ＬＥＤ４４とフォトダイオード４５との間に配置される遮光板４４ａと、基板４６とを備えており、ＬＥＤ４４が光学パターン４１に向けて光を発光し、フォトダイオード４５に受光された光学パターン４１からの反射光に基づいて、パルス信号を生成するものである。なお、回転方向検出センサユニット３３もパルス数検出センサユニット３２と同様の構成であり、回転ベゼル１０２の裏面に形成された光学パターン４１を読み取ってパルス信号を生成する。
【００２２】
パルス数検出センサユニット３２の基板４６は、図示せぬリード線によってこの腕時計型情報処理装置１００の電子回路と接続されており、パルス数検出センサユニット３２によって生成されたパルス信号が後述する情報信号生成部（図１０参照）に出力される。このパルス信号のパルス数が情報信号生成部によってカウントされ、回転ベゼル１０２の回転量が検出されるようになっている。
【００２３】
次に、回転ベゼル１０２の裏面に形成された光学パターン４１について図７を用いて説明する。同図に示すように、光学パターン４１は、ＬＥＤ４４の照射する光を吸収する吸収領域４１ａと、ＬＥＤ４４の照射する光を反射する反射領域４１ｂとが交互に形成されており、これらの吸収領域４１ａおよび反射領域４１ｂは、回転ベゼル１０２の表面に表記された文字等の情報と対応するように設けられている。吸収領域４１ａと反射領域４１ｂとは、回転中心Ｏを中心とした角度θ2毎に形成されている。従って、回転ベゼル１０２を１回転させた時に、入力可能な情報数がｎ個（ｎは偶数）である場合には、θ2＝３６０／ｎ゜となる。この構成の下、回転ベゼル１０２が回転させられると、パルス数検出センサユニット３２は、吸収領域４１ａおよび反射領域４１ｂを交互に読み取ることになり、図８に示すようなパルス信号を生成することができるようになっている。
【００２４】
次に、図２に示したパルス数検出センサユニット３２と回転方向検出センサユニット３３との間の角度θ1について説明する。本実施形態では、θ1＝ｍθ2＋θ2／２となるようにパルス数検出センサユニット３２および回転方向検出センサユニット３３が配置されている。このようにパルス数検出センサユニット３２および回転方向検出センサユニット３３を配置した場合には、各々のセンサユニットに図９に示すようなパルス信号が生成される。同図に示すように、回転ベゼル１０２を時計回りに回転させた場合には、回転方向検出センサユニット３３の生成するパルス信号にパルス数検出センサユニット３２の生成するパルス信号より１／４の位相進みが生じ、回転ベゼル１０２を反時計回りに回転させた場合には、回転方向検出センサユニット３３の生成するパルス信号にパルス数検出センサユニット３２の生成するパルス信号より１／４の位相遅れが生じることになる。従って、このように各センサユニットの生成するパルス信号に生じる位相進み・遅れを検知することによって、回転ベゼル１０２の回転方向を検出することができるようになっている。
【００２５】
なお、θ1の角度は、ｍθ2＋θ2／２に限らず、ｋ＊３６０／ｎ（ｋは０〜ｎ−１までの整数）と異なる角度であればよく、例えばθ1＝ｍθ2＋θ2／４であってもよい。要するに、θ1はパルス数検出センサユニット３２と回転方向検出センサユニット３３とが生成するパルス信号に位相差を生じる角度であればよい。
【００２６】
次に、上述したように検出される回転ベゼル１０２の回転角度および回転方向から文字等の情報を生成して表示装置１０４に表示する制御システムの機能構成について図１０を用いて説明する。同図において、符号８１は、情報信号生成部を示す。情報信号生成部８１は、パルス数カウンタを有しており、パルス数検出センサユニット３２の生成するパルス数をカウントすることにより回転ベゼル１０２の回転角度を検出している。また、情報信号生成部８１は、上述したようにパルス数検出センサユニット３２と回転方向検出センサユニット３３とが生成したパルス信号を比較することにより、回転ベゼル１０２の回転方向を検出している。このように検出した回転ベゼル１０２の回転角度および回転方向に基づいて、情報信号を生成している。この際、情報信号生成部８１は、情報テーブル８２を参照することにより、表示装置１０４に表示すべき情報に対応した情報信号を生成する。
【００２７】
図１１に示すように、情報テーブル８２には、回転ベゼル１０２の回転角度および所定回転方向（ここでは反時計回りとする）に対応して情報信号が記憶されており、情報信号生成部８１は、パルス数カウンタのカウント値（例えば、反時計方向のパルス信号数を加算し、時計方向のパルス信号数を減算したカウント値）から反時計方向の回転角度を検出し、これに対応する情報信号を抽出するようになっている。ここで、情報テーブル８２には、回転ベゼル１０２が基準位置（図１に示す位置）にある時から反時計方向に回転ベゼル１０２を回転させたときに、指示マーク１１０に指示される文字等の情報に対応した情報信号が、その時点での基準位置からの回転角度に対応して記憶させられている。従って、情報テーブル８２参照時に、上記基準位置から回転ベゼル１０２の回転角度および回転方向の検出が開始された場合には、回転ベゼル１０２上に表記された情報のうち、指示マーク１１０に指示された情報に対応する情報信号が生成されるようになっている。
【００２８】
このように情報テーブル８２を参照することにより情報信号生成部８１によって生成された情報信号に基づいて、キャラクタージェネレーター８３が表示装置１０４に文字等の情報を表示する。
【００２９】
確定スイッチ１０５は、情報信号生成部８１によって生成された情報信号に基づいて、表示装置１０４に表示された文字等の情報を確定入力するものであり、削除スイッチ１０６は、確定スイッチ１０５によって確定された情報を削除するものである。濁点スイッチ１０７は、入力候補情報表示部に表示された情報が英文字である場合には小文字と大文字を切り換えるものであり、仮名文字である場合には、濁点を付加するようになっている。リセットスイッチ１０９は、情報信号生成部８１のパルス数カウンタをリセットするものであり、このリセットスイッチ１０９が押下された場合には、その時点から回転ベゼル１０２の回転角度および回転方向の検出が開始されることになる。
【００３０】
なお、情報信号生成部８１が生成する情報は文字情報に限らず、改行などの文字編集や、この情報処理装置におけるモード切換（例えば、時間表示モードと文字入力モードとを切り換える）などの指令情報を生成することも可能である。この場合、情報テーブル８２には、文字編集やモード切換などの指令情報が回転ベゼル１０２の回転角度および回転方向に対応して記憶されておき、これを参照して情報信号生成部８１が指令情報を生成するようにすればよい。
【００３１】
Ｂ．実施形態の動作および情報入力方法
次に、上記の腕時計型情報処理装置１００の情報入力方法および動作について説明する。まず、使用者は、基準位置（図１に示す位置）に回転ベゼル１０２を合わせておく。この状態で使用者はリセットスイッチ１０９を押下し、これにより腕時計型情報処理装置１００は情報入力状態となり、パルス数検出センサユニット３２および回転方向検出センサユニット３３が回転ベゼル１０２の回転角度および回転方向の検出を開始する。
【００３２】
そして、使用者は入力したい情報、例えば、文字「Ｃ」を入力したい場合には、図１２に示すように、回転ベゼル１０２上に形成された「Ｃ」が指示マーク１１０に指示される位置に回転ベゼルを反時計回りに回転させる。このとき、パルス数検出センサユニット３２は回転ベゼル１０２の回転角度θを検出し、回転方向検出センサユニット３３は、回転ベゼル１０２の回転方向を検出する（この場合、θ＝３θ2）。このように検出された回転角度および回転方向に基づいて入力情報「Ｃ」が情報信号生成部８１により生成され、表示装置１０４に表示される。この状態で確定スイッチ１０５を押下すると文字「Ｃ」が確定し、次の情報の入力待ち状態になる。また、削除スイッチ１０６を押下すると、「Ｃ」が削除され、入力待ち状態となる。また、濁点スイッチ１０７を押下すると、「ｃ」が表示部１０４に表示される。このように、回転ベゼル１０２上に表記された所望の情報を指示マーク１１０に合わせる操作を行えば、その情報を表示装置１０４に表示させて入力することができる。
【００３３】
なお、上述したように回転ベゼル１０２を基準位置に合わせる操作を行わずに、リセットスイッチ１０９を押下して表示入力動作を開始するようにしてもよい。この場合、回転ベゼル１０２上の指示マーク１１０に指示された情報以外の情報が入力されることになるが、回転ベゼル１０２上に表記された情報を表示入力することができる。従って、ユーザは、回転ベゼル１０２上の指示マーク１１０に指示された情報を入力するといったモードで操作を行いたい場合に、上述した基準位置あわせ操作を行うようにすればよい。
【００３４】
Ｃ．効果
本実施形態に係る腕時計型情報処理装置１００では、上述したサイズのリング部材４００を溝１０１ａおよび溝１０２ａによって形成される空間内に配置しているので、上述したように胴１０１に回転ベゼル１０２を容易に組み立てる（図５および図６参照）ことが可能である。
【００３５】
また、リング部材４００は、溝１０１ａおよび溝１０２ａによって形成される空間内にどの部材にも係合されずに配置されいてる。さらに、この空間サイズよりもリング部材４００が上下方向および水平方向に小さく形成されているので、回転ベゼル１０２を回転操作した場合にも、リング部材４００と胴１０１および回転ベゼル１０２の両者との間の摩擦がほとんどない。従って、リング部材４００が磨耗することによる寸法変動に起因する回転ベゼル１０２の胴１０１からの離脱を低減することができ、長期間の使用に耐えうる強固な保持構造を維持できる。
【００３６】
ところで、溝１０１ａおよび溝１０２ａによって形成される空間内にリング部材を胴１０１または回転ベゼル１０２に係合させた状態で配置することも考えられるが、この場合、溝やリング部材等の寸法精度のばらつきによって回転トルクが変化してしまう。言い換えれば、回転トルクを安定させようとした場合、高い寸法精度でリング部材や溝を形成することが要求され、製造コストが増加してしまう。また、リング部材と溝の係合部が磨耗して回転ベゼル１０２が離脱してしまうこともあり得る。一方、本実施形態のようにリング部材４００を胴１０１および回転ベゼル１０２のいずれにも係合させず、空間内に遊びを有する状態で配置すれば、寸法精度の高いリング部材等を形成しなくても、胴１０１および回転ベゼル１０２とリング部材４００との間の摩擦がほとんどなく、回転トルクの変動を抑制することができる。従って、回転トルクの変動の少ない回転ベゼル１０２の強固な保持機構を安価で提供することができる。また、リング部材４００を設けることによる回転トルクの変動がほとんどないので、回転トルクの調整を行う場合にも、パッキン等の追加によってより正確な調整が可能となる。
【００３７】
また、本実施形態のようにパルス数検出センサユニット３２および回転方向検出センサユニット３３等の光センサで回転ベゼル１０２の回転を検出する構成を有する装置では、センサカバーガラス４２上に埃が付着すると、これに起因して誤った検出がなされてしまうこともある。本実施形態では、上述したようにリング部材４００と胴１０１および回転ベゼル１０２との間の摩擦がほとんどないため、これらの部材の磨耗による埃もほとんど発生することがなく、埃に起因する各センサユニットの誤検出を低減することができる。この際、回転ベゼル１０２と胴１０１の隙間から侵入する光も、リング部材４００によって遮られるのでリング部材４００より下部への光の侵入を抑制することができる。従って、外光の侵入に起因する各センサユニットの誤検出も低減することができる。
【００３８】
また、リング部材４００を合成樹脂等で形成することにより、耐磨耗性を向上させるとともに、次のような効果を得ることができる。図１３に示すように、回転ベゼル１０２を所定以上の力で上方に引き上げれば、金属等から形成される回転ベゼル１０２や胴１０１が損傷したり変形したりすることなく、合成樹脂のリング部材４００が破断し、これにより回転ベゼル１０２を取り外すことができる。従って、メンテナンス等のために回転ベゼル１０２を取り外す場合に、胴１０１や回転ベゼル１０２の損傷や変形が生じることを低減できる。また、取り外し作業も簡易である。
【００３９】
また、腕時計型情報処理装置１００は、情報テーブル８２を複数設けることにより、回転ベゼル１０２上に表記された情報以外の情報を入力させることもできる。このような場合、図１４に示すように、回転ベゼル１０２を他の情報（図示の場合平仮名）が表記された回転ベゼル５０２に取り替えれば、指示マーク１１０に仮名文字を指示させるように回転ベゼル５０２を回転させるといった簡易な操作で情報入力が行えるようになる。言い換えれば、このような入力を行うには、回転ベゼル１０２から回転ベゼル５０２に取り替える必要があり、回転ベゼルの取り替え作業は容易であることが好ましい。この点に関しても、本実施形態では、上述したように他の部材を損傷させることなく、かつ容易に回転ベゼルの取り替えができるので、回転ベゼルの回転状態に基づいて信号を生成する情報処理装置として好適である。さらに、回転ベゼル１０２を上方に引き上げる際に、破断せずに大きく弾性変形して溝１０１ａから外れるようなリング部材４００を用いれば、再度回転ベゼル１０２を取り付ける際に、このリング部材４００を再度利用することができ、新たなリング部材を用意する必要がなくなる。
【００４０】
Ｄ．変形例
なお、本発明は、上述した実施形態に限定されるものではなく、以下のような種々の変形が可能である。
【００４１】
（１）上述した実施形態においては、リング部材４００として、一部分のみが開放した円弧状のものを用いるようにしていたが、これに限らず、円環状のものを用いるようにしてもよい。
【００４２】
（２）また、上述した実施形態におけるリング部材４００に代えて、図１５に示すような形状のリング部材（中間部材）１５０を用いるようにしてもよい。同図に示すように、このリング部材１５０は、その内周側に複数箇所（図示は６箇所）に突起部（中間部）１５１が形成されている。そして、図１６に示すリング部材１５０の突起部１５１を有する部分の幅Ｄ2が上述したｄ1＋ｄ2よりも小さく、かつｄ1およびｄ2の両者よりも大きくなるようにすれば、上述した実施形態と同様の作用効果が得られる。もちろん、このような突起部１５１をリング部材１５０の外周側の複数箇所に設けるようにしてもよい。このような突起部１５１を有するリング部材１５０を回転ベゼル１０２の溝１０２ａに侵入させた後、胴１０１に上方から押し込む場合、押し込みの抵抗となる部分（突起部１５１）がリング部材４００よりも少なく、作業が容易となる。
【００４３】
（３）さらに、上述した実施形態では、回転ベゼル１０２の溝１０２ａにリング部材４００を侵入させて保持した後、回転ベゼル１０２を胴１０１に押し込んで取り付ける方法について説明したが、これに限らず、他の方法で回転ベゼル１０２を取り付けるようにしてもよい。例えば、図１７に示すように、胴１０１の溝１０１ａにリング部材４００を侵入させて保持した後、リング部材４００を保持した胴１０１の上方から回転ベゼル１０２を押し込んで取り付けるようにしてもよい。この場合、リング部材４００の外周側上面に傾斜面４００ｂを形成しておけば、上述した実施形態で説明したように回転ベゼル１０２を容易に取り付けることができる。また、胴１０１または回転ベゼル１０２のうち、先にリング部材４００を取り付ける側の溝を他方の溝よりも深く形成しておくことにより（図１７では溝１０１ａを深く、図６では溝１０２ａを深く）、回転ベゼル１０２を容易に押し込むことが可能となり、取付作業がさらに簡単となる。
【００４４】
（４）また、上述したリング部材４００に代えて、図１８に示すような形状のリング部材（中間部材）１８０を用いるようにしてもよい。同図に示すように、このリング部材１８０は、内周側に突出する内突出部１８１と、外周側に突出する外突出部１８２が交互に形成されている。すなわち、内突出部１８１の外周側の部分は、凹んだ形状となっており、これにより内突出部１８１は外周側に変形しやすくなっている。従って、上述したようにリング部材１８１を上方から胴１０１にはめ込む場合には、内突出部１８１が外周側に容易に変形するので、回転ベゼル１０２の取り付け作業が容易となる。ここで、内突出部１８１の内周面の位置する回転ベゼル１０２の回転円周と同心円ＩＣ（図中２点鎖線で示す）と、外突出部１８２の外周面の位置する回転ベゼル１０２の回転円周と同心円ＯＣ（図中２点差線で示す）との半径の差Ｄ3が上述したｄ1＋ｄ2よりも小さく、かつｄ1およびｄ2の両者よりも大きくなるようにすれば、上述した実施形態と同様の作用効果が得られる。
【００４５】
（５）また、上述した実施形態においては、１つのリング部材４００を溝１０１ａおよび突起部１０１ｂによって形成される空間内に配置するようにしていたが、円弧状のリング部材を複数設けるようにしてもよい。例えば、中心角が１８０°の円弧状のリング部材を２つ設け、これらを上記空間内に配置するようにしてもよい。
【００４６】
（６）また、上述した実施形態では、本発明をパルス数検出センサユニット３２や回転方向検出センサユニット３３等により回転ベゼル１０２の回転を検出して信号を生成する情報処理装置に適用した場合について説明したが、これに限らず、他の回転ベゼルを有する携帯機器、例えば回転ベゼルを有するアナログ式の腕時計などに適用することも可能である。
【００４７】
【発明の効果】
以上説明したように、本発明によれば、回転ベゼルを支持体に対して容易に取り付けることができる。また、回転ベゼルの保持構造の耐久性を向上させることができる。
【図面の簡単な説明】
【図１】  本発明の一実施形態に係る腕時計型情報処理装置を示す正面図である。
【図２】  前記腕時計型情報処理装置から、この腕時計型情報処理装置の構成要素である回転ベゼルを取り外した状態を示す図である。
【図３】  図１のIII−III線に沿ってみた図である。
【図４】  前記回転ベゼルの前記腕時計型情報処理装置１００の構成要素である胴への取り付け構造を示す分解斜視図である。
【図５】  前記回転ベゼルを前記胴に取り付ける様子を示し、前記回転ベゼルの内周側に前記腕時計型情報処理装置の構成要素であるリング部材を配置した状態を示す図である。
【図６】  前記回転ベゼルを前記胴に取り付ける様子を示し、前記回転ベゼルを前記胴に押し込む時の状態を示す図である。
【図７】  前記回転体の裏面を示す図である。
【図８】  前記回転ベゼルの裏面に形成された光学パターンと、前記光学パターンを読み取ることによって前記腕時計型情報処理装置の構成要素であるパルス数検出センサユニットが生成するパルス信号とを示す図である。
【図９】  前記パルス数検出センサユニットの生成するパルス信号と、前記腕時計型情報処理装置の構成要素である回転方向検出センサユニットの生成するパルス信号とを示す図である。
【図１０】  前記制御システムの構成要素である情報テーブルの記憶内容を示す図である。
【図１１】  前記制御システムの構成要素である情報テーブルの記憶内容を示す図である。
【図１２】  図１に示す状態から、前記腕時計型情報処理装置の前記回転ベゼルをθ°回転させた状態を示す図である。
【図１３】  前記胴から前記回転ベゼルを取り外す様子を示す図である。
【図１４】  前記腕時計型情報処理装置の回転ベゼルを取り替えた場合を示す正面図である。
【図１５】  前記腕時計型情報処理装置の変形例の構成要素であるリング部材を示す図である。
【図１６】  図１５のXVI−XVI線に沿ってみた図である。
【図１７】  前記腕時計型情報処理装置の他の変形例において、前記回転ベゼルを前記胴に取り付ける様子を示す図である。
【図１８】  前記腕時計型情報処理装置のさらに他の変形例の構成要素であるリング部材を示す図である。
【図１９】  一般的な回転ベゼルを有する腕時計の外観を示す斜視図である。
【符号の説明】
３２……パルス数検出センサユニット（光センサ）、３３……回転方向検出センサユニット（光センサ）、８１……情報信号生成部、１００……腕時計型情報処理装置、１０１……胴（支持体）、１０１ａ……溝（支持体側溝）、１０２……回転ベゼル、１０２ａ……溝（ベゼル側溝）、１５０……リング部材（中間部材）、１５１……突起部（中間部）、１８０……リング部材（中間部材）、１８１……内突出部、１８２……外突出部、４００……リング部材（中間部材）、４００ａ……傾斜面、４００ｂ……傾斜面
【図１】
0003654071.tif 000002
【図２】
0003654071.tif 000003
【図３】
0003654071.tif 000004
【図４】
0003654071.tif 000005
【図５】
0003654071.tif 000006
【図６】
0003654071.tif 000007
【図７】
0003654071.tif 000008
【図８】
0003654071.tif 000009
【図９】
0003654071.tif 000010
【図１０】
0003654071.tif 000011
【図１１】
0003654071.tif 000012
【図１２】
0003654071.tif 000013
【図１３】
0003654071.tif 000014
【図１４】
0003654071.tif 000015
【図１５】
0003654071.tif 000016
【図１６】
0003654071.tif 000017
【図１７】
0003654071.tif 000018
【図１８】
0003654071.tif 000019
【図１９】
0003654071.tif 000020